(57)【要約】【課題】  読取領域が確認し難いという問題を解消すると共に、インジケータの未使用時における無駄を省き、発光素子の破損を検出して正確な表示を実現し、迷光を発生させず原稿を確実に読み取ることができる画像読取装置を提供する。【解決手段】  原稿を載置する原稿台４と、前記原稿台４上に載置した原稿Ｍに光を照射する光源１１を搭載し、原稿台４側に副走査方向の読取領域を表示する表示部材を配設したキャリッジ６と、前記キャリッジ６を副走査方向に駆動する駆動手段２４を設ける。原稿Ｍからの反射光を受光する受光手段２５と、主走査方向に発光素子を配列し、主走査方向の読取領域を表示するインジケータ１７と、前記インジケータ１７の発光制御を実行する制御回路２１を設ける。【選択図】          図１
2006211160.tif 000002
【特許請求の範囲】
【請求項１】
原稿を載置する原稿台と、前記原稿台上に載置した原稿に光を照射する光源を搭載し、原稿台側に副走査方向の読取領域を表示する表示部材を配設したキャリッジと、前記キャリッジを副走査方向に駆動する駆動手段と、原稿からの反射光を受光する受光手段と、主走査方向に発光素子を配列し、主走査方向の読取領域を表示するインジケータと、前記インジケータの発光制御を実行する制御回路とを具備したことを特徴とする画像読取装置。
【請求項２】
前記キャリッジに表示部材を配設する代わりに、副走査方向に発光素子を配列し、副走査方向の読取領域を表示するインジケータを具備したことを特徴とする請求項１に記載の画像読取装置。
【請求項３】
前記制御回路によって、画像読取動作に同期させて前記インジケータの発光制御を実行するようにしたことを特徴とする請求項１又は２に記載の画像読取装置。
【請求項４】
前記制御回路によって、原稿台カバーの開閉状態に同期させて前記インジケータの発光制御を実行するようにしたことを特徴とする請求項１乃至３に記載の画像読取装置。
【請求項５】
前記制御回路によって、予め設定された所定時間を経過すると、前記インジケータを強制的に消灯させるようにしたことを特徴とする請求項１乃至４に記載の画像読取装置。
【請求項６】
前記インジケータの輝度を調整できる輝度調整手段を具備し、輝度調整手段によって、前記インジケータの輝度を設定するようにしたことを特徴とする請求項１乃至５に記載の画像読取装置。
【請求項７】
前記インジケータの発光量を前記受光手段によって検出し、予め設定された基準値と比較することによって、前記インジケータの異常を検知するようにしたことを特徴とする請求項１乃至６に記載の画像読取装置。
【請求項８】
前記インジケータは、読取領域の先端に位置する１個の発光素子のみを点灯して、読取領域を表示するものであることを特徴とする請求項１乃至７に記載の画像読取装置。
【請求項９】
前記インジケータは、読取領域の先端に位置する発光素子までを帯状に点灯して、読取領域を表示するものであることを特徴とする請求項１乃至７に記載の画像読取装置。
【請求項１０】
前記インジケータは、読取領域の先端が隣接する発光素子の中間に位置した場合に、隣接する発光素子を点滅して、読取領域を表示するものであることを特徴とする請求項１乃至９に記載の画像読取装置。
【発明の詳細な説明】
【技術分野】
【０００１】
本発明は、原稿の記載内容を光学的に読み取る画像読取装置、特には、画像読取領域を表示するインジケータを装備した画像読取装置に関する。
【背景技術】
【０００２】
画像読取装置は、光源から原稿の表面に光を照射し、その反射光をミラー、レンズを介してＣＣＤセンサで受光し、原稿の記載内容を光学的に読み取るものであるが、原稿の所定領域を確実に読み取るためには、原稿を原稿台ガラスの適切な位置に載置する必要がある。そのため、原稿台ガラスの周囲に配設した停止部材には、用紙の規格寸法であるＢ５，Ａ４等の用紙サイズ目盛を付設してある。
【０００３】
しかし、原稿の一部領域を読み取る場合や、読み取った領域を拡大、縮小する場合等にあっては、用紙サイズ目盛を付設しただけでは、読み取る領域を確認することができず、必要な領域を読み取れなかったり、不要な領域まで読み取ったりして、極めて不都合であった。
【０００４】
そこで、用紙サイズ目盛を付設する代わりに、原稿の読取領域を適宜可変して表示することができるインジケータを装備した画像読取装置が開発された。
このような画像読取装置として、原稿台ガラスの側方に主走査方向に延長する開口部を形成し、その開口部に沿って移動する表示部材を配設すると共に、光源及びミラーを搭載し、副走査方向に移動する第１キャリッジの上面に、表示線分を付設したものが知られている（例えば、特許文献１参照）。
【０００５】
この画像読取装置では、表示部材をベルト又はワイヤに固定し、ステッピングモータ等によってベルト等を主走査方向に移動させ、表示部材を主走査方向に適宜移動することによって、主走査方向の画像読取領域を表示するようにしている。
又、図示しない駆動モータを作動させ、第１キャリッジを副走査方向に適宜移動することによって、副走査方向の画像読取領域を表示するようにしている。
【０００６】
【特許文献１】特開平９−１８５２９６号公報
【０００７】
しかし、特許文献１に記載された画像読取装置にあっては、主走査方向のインジケータにおいて、表示部材、ベルト又はワイヤ、ステッピングモータ等の機構部材を有しているため、画像読取装置を薄型化することは困難であった。
又、表示部材をベルト又はワイヤを介してステッピングモータ等によって移動させるため、表示部材を高速で移動させると、大きな振動音が発生するという問題があった。
さらに、原稿の一部領域を拡大する場合には、原稿によって表示部材、表示線分が隠れてしまって、読取領域が確認し難いという問題もあった。
【０００８】
かかる問題点を解消するべく、原稿台ガラスの周囲に、主走査方向及び副走査方向に延長するＬＥＤアレイから成るインジケータを配設し、ＬＥＤアレイ中の適宜ＬＥＤ素子を点灯させることによって、主走査方向及び副走査方向の読取領域を表示するようにした画像読取装置が提案されている（例えば、特許文献２参照）。
【０００９】
この画像読取装置によれば、表示部材、ベルト又はワイヤ、ステッピングモータ等の機構部材を有しないため、画像読取装置を薄型化することができる。
又、適宜ＬＥＤ素子を点灯させることにより、主走査方向及び副走査方向の読取領域を表示するようにしたから、大きな振動音が発生するという問題も解消される。
【００１０】
【特許文献２】特開２００１−１８３７６０号公報
【発明の開示】
【発明が解決しようとする課題】
【００１１】
しかし、特許文献２に記載された画像読取装置にあっても、ＬＥＤ素子の輝度調整等の発光制御を実施しないため、原稿の一部領域を拡大する場合に、原稿によってＬＥＤ素子が隠れてしまい、読取領域が確認し難いという問題は解消されなかった。
又、ＬＥＤ素子の発光制御を実施していないため、インジケータの未使用時にも点灯して無駄が生じたり、ＬＥＤ素子が破損した場合には正確な表示ができなかったり、ＬＥＤ素子の発光によって原稿の読み取りが不確実になるという問題があった。
【００１２】
本発明は、かかる従来の問題点を解消すべく為されたものであって、原稿の一部領域を拡大する場合にも、読取領域を容易に確認することができると共に、インジケータの未使用時における無駄を省き、ＬＥＤ素子の破損を検出して正確な表示を実現し、迷光を発生させず原稿を確実に読み取ることができる画像読取装置を提供することを目的とする。
【課題を解決するための手段】
【００１３】
上記目的を達成するため、本発明の画像読取装置は、原稿を載置する原稿台と、前記原稿台上に載置した原稿に光を照射する光源を搭載し、原稿台側に副走査方向の読取領域を表示する表示部材を付設したキャリッジと、前記キャリッジを副走査方向に移動させる駆動手段と、原稿からの反射光を受光する受光手段と、主走査方向に複数の発光素子を配列し、主走査方向の読取領域を表示するインジケータと、前記インジケータの発光制御を実行する制御回路とを具備したことを特徴とする。
【００１４】
前記キャリッジに表示部材を付設する代わりに、副走査方向にも複数の発光素子を配列し、副走査方向の読取領域を表示するインジケータを具備するようにしてもよい。
【００１５】
前記制御回路によって、画像読取動作に同期させて前記インジケータの発光制御を実行するようにしてもよい。
【００１６】
前記制御回路によって、原稿台カバーの開閉状態に同期させて前記インジケータの発光制御を実行するようにしてもよい。
【００１７】
前記制御回路によって、予め設定された所定時間を経過した時、前記インジケータを強制的に消灯させるようにしてもよい。
【００１８】
前記インジケータの輝度を調整できる輝度調整手段を具備し、輝度調整手段によって前記インジケータの輝度を調整し、設定するようにしてもよい。
【００１９】
前記インジケータの発光量を前記受光手段によって検出し、予め設定された基準値と比較することによって、前記インジケータの発光異常を検知するようにしてもよい。
【００２０】
前記インジケータは、読取領域の先端に位置する１個の発光素子のみを点灯して、読取領域を表示するようにしてもよい。
【００２１】
前記インジケータは、読取領域の先端に位置する発光素子までを帯状に点灯して、読取領域を表示するようにしてもよい。
【００２２】
前記インジケータは、読取領域の先端が隣接する発光素子の中間に位置した場合に、隣接する発光素子を点滅して、読取領域を表示するようにしてもよい。
【発明を実施するための最良の形態】
【００２３】
以下、本発明の画像読取装置の好適な実施形態について、図面を参照して詳細に説明する。
【００２４】
本発明の画像読取装置１は、図１に示すように、読取装置本体２と、原稿台カバー３とから構成される。
【００２５】
読取装置本体２の上面には、原稿Ｍを載置する原稿台ガラス４を配設してあり、原稿台ガラス４の側方には、シェーデイング補正板５を配設してある。
【００２６】
読取装置本体２の内部には、第１キャリッジ６、第２キャリッジ７、レンズ８、ＣＣＤセンサ９、制御基板１０等を配設してある。
【００２７】
第１キャリッジ６は、キセノンランプ等から成る光源１１、リフレクター１２、第１ミラー１３を搭載しており、図示しない駆動手段によって副走査方向に移動するようになっている。又、キセノンランプは、図示しないインバータによって駆動される。
【００２８】
第２キャリッジ７は、第２ミラー１４、第３ミラー１５を搭載しており、図示しない駆動手段によって副走査方向に移動するようになっている。
【００２９】
制御基板１０には、ＣＣＤセンサ９の駆動制御、読取装置本体２の駆動制御、及び図示しない外部装置との通信制御を実行する制御回路が構成されている。
【００３０】
画像読取装置１では、光源１１から照射された光と、光源１１から照射されリフレクター１２によって反射された光を、原稿台ガラス４上に載置された原稿Ｍに照射し、その反射光を第１ミラー１３、第２ミラー１４、第３ミラー１５を介し、レンズ８によってＣＣＤセンサ９において結像する。
【００３１】
原稿読取時には、先ず、第１キャリッジ６及び第２キャリッジ７を図示しない駆動手段によって走査原点位置に移動させ、光源１１を点灯した後、シェーディング補正板５の下方に移動させ、シェーディング補正板５を読み取り、その結果に基づいて、シェーディング補正を実行する。
【００３２】
次に、第１キャリッジ６を原稿Ｍの下方で走査させ、原稿全面の画像を読み取る。この際、第２キャリッジ７は、第１キャリッジ６の走査速度の１／２の速度で相対的に走査させて、原稿面からＣＣＤセンサ９までの光路長を常に一定に保持してある。
【００３３】
原稿面からの反射光は、ＣＣＤセンサ９において光電変換され、アナログ信号が生成される。さらに、制御基板１０に構成された制御回路によって信号増幅、アナログ／ディジタル変換、シェーディング補正、画像処理等されて、図示しない外部装置へ画像データ信号として出力される。
【００３４】
読取装置本体２の上方に、原稿台カバー３に代えて、図示しないオートドキュメントフィーダー（ＡＤＦ）を装着してもよい。
ＡＤＦによって原稿Ｍを搬送して読み取る場合には、原稿読取時に、第１キャリッジ６及び第２キャリッジ７を固定し、原稿Ｍを読取装置本体２の上面に配設したコンタクトガラス１６の上面を移動させ、原稿全面の画像を読み取る。
【００３５】
本発明の画像読取装置１では、図２に示すように、読取装置本体２の上面において、原稿台ガラス４とコンタクトガラス１６との間に主走査方向の読取領域を表示する主走査方向インジケータ１７を配設してある。
主走査方向インジケータ１７は、ＬＥＤ等の発光素子Ｌを主走査方向に所定間隔で配列したものであり、適宜位置の発光素子Ｌを点灯させることによって、主走査方向の読取領域を表示するようになっている。
【００３６】
又、本発明の画像読取装置１では、図２に示すように、第１キャリッジ６の上面に主走査方向に沿って表示ラインを付設して、副走査方向の読取領域を表示する副走査方向インジケータ１８としてある。
副走査方向インジケータ１８は、図示しない駆動手段を作動させ、第１キャリッジ６を副走査方向に適宜位置まで移動することによって、副走査方向の読取領域を表示するようになっている。
【００３７】
本発明の画像読取装置１において、主走査方向インジケータ１７及び副走査方向インジケータ１８の使用方法について、不定形サイズの原稿ＭをＡ３サイズの用紙に拡大複写する場合を例にとって説明する。
【００３８】
図３に示すように、先ず、拡大複写する出力用紙の紙サイズとして、Ａ３サイズをコントロールパネルにおいて入力し、設定する（ステップ１）。
これによって、主走査方向インジケータ１７及び副走査方向インジケータ１８は、Ａ３サイズに対応した主走査方向及び副走査方向の読取領域を表示する（ステップ２）。
【００３９】
次に、原稿台カバー３又はＡＤＦを上方に回動させ、原稿台ガラス４上に不定形サイズの原稿Ｍを載置する。
原稿ＭをＡ３サイズの用紙に拡大複写したいのであるが、拡大率が不明であるため、直ちに、倍率入力手段から拡大率を数値で入力することは困難である。ここで、拡大率が適正でないと、出力用紙において、余白が多くなったり、原稿Ｍの端部が複写されなかったりして、所望の複写をすることができない。そこで、主走査方向インジケータ１７及び副走査方向インジケータ１８を利用する。
【００４０】
コントロールパネルの倍率入力手段によって適宜拡大率を変更すると（ステップ３）、その拡大率に対応した読取領域を表示するので（ステップ４）、拡大率を変更する操作を繰り返し、読取領域が原稿Ｍのサイズと一致するように調整する。
【００４１】
そして、読取領域が原稿Ｍのサイズと一致したことを確認し（ステップ５）、複写動作を開始すれば（ステップ６）、不定形サイズの原稿Ｍを容易にＡ３サイズの用紙に拡大複写することができる。
【００４２】
次に、本発明の画像読取装置１の回路構成について説明する。
【００４３】
図４は、回路構成をブロック図で示したものであり、制御基板１０に構成された制御回路２１には、コントロールパネルにおいて倍率を入力する倍率入力手段２２、原稿台カバー開閉検知スイッチ２３、主走査方向インジケータ１７、第１キャリッジ６及び第２キャリッジ７を移動させる駆動手段２４、ＣＣＤセンサから成る受光手段９、光源１１であるキセノンランプを駆動するインバータ２５、オートドキュメントフィーダー（ＡＤＦ）２６、ネットワークに接続されたパーソナルコンピュータ２７から画像読取装置１を操作するためのシステム／コントローラ２８等が接続されている。
【００４４】
原稿台カバー３又はＡＤＦの開閉状態に同期した主走査方向インジケータ１７の発光制御方法について、図５を参照して説明する。
【００４５】
原稿台カバー３又はＡＤＦが開放されると、原稿台カバー開閉検知スイッチ２３が開放状態を検知し、検知信号が制御回路２１に転送され、制御回路２１は主走査方向インジケータ１７の発光素子を発光させる。
一方、原稿台カバー３又はＡＤＦが閉鎖されると、原稿台カバー開閉検知スイッチ２３が閉鎖状態を検知し、検知信号が制御回路２１に転送され、制御回路２１は主走査方向インジケータ１７の発光素子を消灯させる。
尚、図５において、Ｔ１＞０sec、Ｔ２＞０secである。
【００４６】
主走査方向インジケータ１７を使用するのは、原稿台カバー３又はＡＤＦを開放し、原稿台ガラス４に原稿Ｍを載置する時であるから、原稿台カバー３又はＡＤＦを閉鎖した時に、主走査方向インジケータ１７の発光素子を自動的に消灯させれば、無駄な電力を消費させないようにすることができる。
【００４７】
画像読取動作に同期した主走査方向インジケータ１７の発光制御方法について、図６を参照して説明する。
【００４８】
制御回路２１から第１キャリッジ走査開始信号を駆動手段２４に出力した後、主走査方向インジケータ１７の発光素子を消灯させる。そして、発光素子を消灯した後、ＣＣＤセンサ９によって画像データの読み取りを開始する。
又、画像データの読み取りを終了した後、主走査方向インジケータ１７の発光素子を発光させる。
尚、図６において、Ｔ３＞０sec、Ｔ４＞０sec、Ｔ５＞０secである。
【００４９】
このように、画像データの読取動作中に主走査方向インジケータ１７の発光素子を消灯させるようにすれば、主走査方向インジケータ１７の発光素子からの光が原稿Ｍに照射されて、読み取る画質が低下するのを防止することができる。
【００５０】
コントロールパネル操作に対応した主走査方向インジケータ１７の発光制御方法について、図７を参照して説明する。
【００５１】
上述のように、原稿台カバー３又はＡＤＦが開放状態であり、画像読取動作が実行されていない場合には、主走査方向インジケータ１７の発光素子を発光させるのであるが、コントロールパネルの操作が所定時間なかった場合には、主走査方向インジケータ１７の発光素子を消灯させる。
所定時間内にコントロールパネルの操作が行なわれた場合には、主走査方向インジケータ１７の発光素子をそのまま発光状態とさせておく。
【００５２】
このように、コントロールパネルの操作が所定時間なかった場合に主走査方向インジケータ１７の発光素子を消灯させるようにすれば、使用者が画像読取装置１から離れた場合に、無駄な電力を消費させないようにすることができる。
【００５３】
主走査方向インジケータ１７の発光素子の輝度調整方法について、図８を参照して説明する。
【００５４】
原稿台ガラス４上に原稿Ｍを載置し、所定の読取領域を拡大複写する場合、従来の表示部材による機械的なインジケータでは、図８（Ａ）に示すように、原稿Ｍ上からは、インジケータによって表示される読取領域が確認し難い。
しかし、本発明の如く、発光素子Ｌから成るインジケータ１７では、図８（Ｂ）に示すように、発光素子の輝度を上昇させれば、発光素子から照射した光が原稿Ｍを透過するため、原稿Ｍ上からも、インジケータ１７によって表示される読取領域を確実に認識することができる。
【００５５】
このように、主走査方向インジケータ１７の発光素子の輝度調整方法を実行すれば、原稿Ｍを拡大複写する等の場合に、読取領域を確実に認識でき、容易に読取領域を設定することができる。
【００５６】
主走査方向インジケータ１７の発光素子の不良を検出するインジケータチェック機能について、図９を参照して説明する。
インジケータチェックは、原稿台カバー３が閉鎖されている場合に、画像読取装置１の電源投入時に実行される。
【００５７】
先ず、インジケータ１７の発光素子を全て消灯させ（ステップ１１）、その時の出力をＣＣＤセンサ９によって読み取る（ステップ１２）。
その読取値が消灯時における基準値以下である場合には、インジケータは正常と判断して、次のステップに進むが、基準値を超えている場合には、異常と判断して（ステップ１３）、コントロールパネルに異常状態を表示すると共に、システムに異常状態信号を送信する（ステップ１４）。
【００５８】
インジケータ１７は正常と判断した場合には、インジケータ１７の最端部に配置された発光素子を発光させ（ステップ１５）、その時の出力をＣＣＤセンサ９によって読み取る（ステップ１６）。
読み取りが完了したら、その発光素子を消灯させ（ステップ１７）、その読取値が発光時における基準値を超えている場合には、その発光素子は正常と判断し、基準値以下である場合には、異常と判断して（ステップ１８）、コントロールパネルに異常状態を表示すると共に、システムに異常状態信号を送信する（ステップ１４）。
【００５９】
最端部に配置された発光素子は正常と判断した場合には、隣接して配置された発光素子を発光させ（ステップ１９）、その時の出力をＣＣＤセンサ９によって読み取る（ステップ１６）。
読み取りが完了したら、その発光素子を消灯させ（ステップ１７）、その読取値が発光時における基準値を超えている場合には、その発光素子は正常と判断し、基準値以下である場合には、異常と判断して（ステップ１８）、コントロールパネルに異常状態を表示すると共に、システムに異常状態信号を送信する（ステップ１４）。
【００６０】
以下、同様にして、インジケータ１７の全ての発光素子Ｌについて出力チェックを実行し、全ての発光素子について正常であることが確認された場合には（ステップ２０）、インジケータ１７は正常であると判断して（ステップ２１）、インジケータチェックを終了する。
ここでは、最端部に配置された発光素子から発光チェックを行なっているが、発光チェ
ックの開始位置は特に限定されるものではない。
【００６１】
本発明の画像読取装置１において、図１０及び図１１に示すように、副走査方向インジケータ３１についても、ＬＥＤ等の発光素子を副走査方向に所定間隔で配列し、適宜位置の発光素子を点灯させることによって、副走査方向の読取領域を表示するようにしてもよい。
【００６２】
又、読取領域を表示するのに、図１０に示すように、１個の発光素子Ｌを発光させて表示してもよく、図１１に示すように、複数の発光素子Ｌ，Ｌ，・・・を帯状に発光させて表示してもよい。
【００６３】
ここで、読取領域を１個の発光素子Ｌを発光させて表示する場合には、図１２（Ａ）に示すように、読取領域の先端に位置する所定の発光素子ＬＴを発光させる。但し、読取領域の先端が隣接する発光素子ＬＴ  ，ＬＴ−１の中間に位置した場合には、図１２（Ｂ）に示すように、隣接する２個の発光素子ＬＴ，ＬＴ−１を発光させる。
【００６４】
又、読取領域を複数の発光素子Ｌ，Ｌ，・・・を帯状に発光させて表示する場合には、図１３（Ａ）に示すように、読取領域の先端に位置する所定の発光素子ＬＴ  まで帯状に発光させる。但し、読取領域の先端が隣接する発光素子ＬＴ  ，ＬＴ−１の中間に位置した場合には、さらに、隣接する２個の発光素子ＬＴ  ，ＬＴ−１を点滅させるようにする。
【００６５】
本発明の画像読取装置によれば、発光素子の輝度調整等の発光制御を実施しているために、発光素子の輝度を上昇させることによって、読取領域を原稿の裏面から容易に認識することができ、拡大複写の際に原稿の読取領域を間違えることが少なくなる。
【００６６】
又、読取領域をインジケータの発光素子によって点状又は帯状に表示することができ、しかも、隣接する２個の発光素子による発光又は点滅表示もできるので、より認識し易い読取領域表示が可能となる。
【００６７】
又、原稿台カバーの開閉状態、画像読取動作に同期させて、インジケータの点灯、消灯を制御するようにしたので、画像読取時に、インジケータからの光によって画質が低下することを防止することができる。
【００６８】
又、インジケータを使用しない場合には、コントロールパネル又はネットワークを介して接続した外部装置によって、インジケータの発光素子を強制的に消灯でき、又、インジケータの連続点灯時間を設定しておけば、設定時間になった時に自動的に消灯でき、省電力化を図ることができる。
【００６９】
さらに、インジケータの発光素子の不良を、画像読取装置の電源投入時に確認することができるから、インジケータ不良によって読取領域が誤って表示されるのを未然に防止することができる。
【図面の簡単な説明】
【００７０】
【図１】本発明の画像読取装置の概略断面図である。
【図２】本発明の画像読取装置の読取装置本体の平面図である。
【図３】不定形サイズの原稿を拡大複写する場合における読取領域の設定方法を示すフローチャートである。
【図４】本発明の画像読取装置の回路構成図である。
【図５】原稿台カバーの開閉状態に同期させたインジケータの発光制御方法を示すタイミングチャートである。
【図６】画像読取動作に同期させたインジケータの発光制御方法を示すタイミングチャートである。
【図７】コントロールパネル操作に対応させたインジケータの発光制御方法を示すタイミングチャートである。
【図８】インジケータの輝度調整制御に関する説明図である。
【図９】インジケータの発光素子の不良を検出する方法を示すフローチャートである。
【図１０】副走査方向についても発光素子を配列したインジケータを使用し、点状に発光させた場合の説明図である。
【図１１】副走査方向についても発光素子を配列したインジケータを使用し、帯状に発光させた場合の説明図である。
【図１２】インジケータによる読取領域の表示方法を示す説明図である。
【図１３】インジケータによる読取領域の表示方法を示す説明図である。
【符号の説明】
【００７１】
１  画像読取装置
４  原稿台ガラス
６  第１キャリッジ
１１  光源
１７  主走査方向インジケータ
１８  副走査方向インジケータ
２１  制御回路
２４  駆動手段
２５  受光手段
３１  副走査方向インジケータ
Ｍ  原稿
３  原稿台カバー
【図１】
2006211160.tif 000003
【図２】
2006211160.tif 000004
【図３】
2006211160.tif 000005
【図４】
2006211160.tif 000006
【図５】
2006211160.tif 000007
【図６】
2006211160.tif 000008
【図７】
2006211160.tif 000009
【図８】
2006211160.tif 000010
【図９】
2006211160.tif 000011
【図１０】
2006211160.tif 000012
【図１１】
2006211160.tif 000013
【図１２】
2006211160.tif 000014
【図１３】
2006211160.tif 000015